(57)【要約】【課題】水質切換弁の形状、構造および収容容積等の制約を大幅に緩めるとともに取扱上もバランスの良い形状・構造にすることができる浄水機能付きシャワーヘッドを提供することを課題とする。【解決手段】他部品との接続端を備える把持部と、この把持部の先端に一体に形成された吐出口を有する頭部とを備えたシャワーヘッドにおいて、前記把持部には水質浄化用カートリッジを内蔵するとともに、この水質浄化用カートリッジの内蔵により前記水質浄化用カートリッジを透過する浄水流路と前記水質浄化用カートリッジを透過しない原水流路とが形成され、前記水質浄化用カートリッジの外周側流路から水質浄化用カートリッジに設けられた水質浄化材を介して中心部に形成された中央空間部に至る前記浄水流路を形成し、前記頭部には、前記浄水流路からの流出と前記原水流路からの流出とを切り換える流路切換弁を組み込んだ構成である。【選択図】図５
2010046497.tif 000002
【特許請求の範囲】
【請求項１】
他部品との接続端を備える把持部と、この把持部の先端に一体に形成された吐出口を有する頭部とを備えたシャワーヘッドにおいて、
前記把持部には水質浄化用カートリッジを内蔵するとともに、この水質浄化用カートリッジの内蔵により前記水質浄化用カートリッジを透過する浄水流路と前記水質浄化用カートリッジを透過しない原水流路とが形成され、
前記水質浄化用カートリッジの外周側流路を前記原水流路の一部とし、カートリッジ外表面に沿って軸方向へ流れる外周側流路から前記水質浄化用カートリッジを透過せずに前記頭部へ流れる前記原水流路を形成し、
前記外周側流路から前記水質浄化用カートリッジに設けられた水質浄化材を介して中心部に形成された中央空間部に至る流路を前記浄水流路の一部とし、前記外周側流路を前記原水流路と兼用しかつ前記水質浄化材を透過して前記中央空間部に達してから前記頭部へ流れる前記浄水流路を形成し、
前記頭部には、前記浄水流路からの流出と前記原水流路からの流出とを切り換える流路切換弁を組み込み、前記流路切換弁を前記頭部の外側より操作可能に形成したことを特徴とする浄水機能付きシャワーヘッド。
【請求項２】
他部品との接続端を備える把持部と、この把持部の先端に一体に形成された吐出口を有する頭部とを備えたシャワーヘッドにおいて、
前記把持部には水質浄化用カートリッジを内蔵するとともに、この水質浄化用カートリッジの内蔵により前記水質浄化用カートリッジを透過する浄水流路と前記水質浄化用カートリッジを透過しない原水流路とが形成され、
前記水質浄化用カートリッジの中央空間部を前記原水流路の一部とし、前記中央空間部を内表面に沿って軸方向へ流れて前記水質浄化用カートリッジを透過せずに前記頭部へ流れる前記原水流路を形成し、
前記中央空間部から前記水質浄化用カートリッジに設けられた水質浄化材を介して外周側流路に至る流路を前記浄水流路の一部とし、前記中央空間部を前記原水流路と兼用しかつ前記水質浄化材を透過して前記外周側流路に達してから前記頭部へ流れる前記浄水流路を形成し、
前記頭部には、前記原水流路からの流出と前記浄水流路からの流出とを切り換える流路切換弁を組み込み、前記流路切換弁を前記頭部の外側より操作可能に形成したことを特徴とする浄水機能付きシャワーヘッド。
【請求項３】
前記流路切換弁には浄水用遮断弁と原水用遮断弁とを各別に設けたことを特徴とする請求項１又は２に記載の浄水機能付きシャワーヘッド。
【請求項４】
前記水質浄化材から前記流路切換弁までの間の流路中に殺菌セラミック及び／又は焼結磁性体とを介装したことを特徴とする請求項１，２又は３に記載の浄水機能付きシャワーヘッド。
【発明の詳細な説明】
【技術分野】
【０００１】
本発明は、台所または厨房、洗面所あるいは風呂場等で用いられ、使用時に吐出する水および／または湯を浄化する能力を具備した浄水機能付きシャワーヘッドに関する。
【背景技術】
【０００２】
従来、洗面所あるいは風呂場等で用いられる洗面装置やシャワー装置等に取り付けられ、水および／または湯の水質浄化能力を具備したシャワーヘッドには、例えば特許文献１記載の塩素除去シャワーヘッドがあった。
この塩素除去シャワーヘッドでは、本体内に水質を浄化するための水質浄化用カートリッジと、シャワー吐出する湯水を浄化水または原水に切り換えるための切換弁とが収容されている。
【特許文献１】登録実用新案公報第 3007614号
【０００３】
〔問題点〕
このような従来の塩素除去シャワーヘッドにおいては、シャワーヘッドの本体内に収容される切換弁が、水質浄化用カートリッジが収容された位置の上流側に配置されているため、水質浄化用カートリッジが胴部に収容されているものでは、切換弁の収容容積が小さくなり、切換弁を収容部に合わせて小さく形成しなければならず、その形状、構造等も制約され、しかも製造が難しくなり、また、水質浄化用カートリッジが頭部に収容されているものでは、胴部に比較して頭部が重くなり、シャワーヘッドの重量バランスが悪くなって、扱いにくいものとなるという問題点があった。
【発明の概要】
【発明が解決しようとする課題】
【０００４】
本発明は、従来の技術における前記問題点を解消するためのものであり、そのための課題は、切換弁の形状、構造および収容容積等の制約を大幅に緩めるとともに取扱上もバランスの良い形状・構造にすることができる浄水機能付きシャワーヘッドを提供することにある。
【課題を解決するための手段】
【０００５】
前記課題を効果的に解決できるよう具体的に構成された手段としての、本発明に係る浄水機能付きシャワーヘッドは、他部品との接続端を備えるとともに直接手で持つことができるように形成した把持部と、この把持部の先端に一体に形成されたシャワー吐出口を有する頭部とを備えたシャワーヘッドにおいて、前記把持部内には水質浄化用カートリッジを内蔵するとともに、この水質浄化用カートリッジの内蔵により前記水質浄化用カートリッジを透過する浄水流路と前記水質浄化用カートリッジを透過しない原水流路とを形成し、前記頭部には前記浄水流路と前記原水流路との流路を切り換える流路切換弁を組み込み、前記シャワー吐出口の形成箇所にストレート吐出口を併設し、前記ストレート吐出口からの吐出と前記シャワー吐出口からの吐出とを切り換える吐出切換弁を組み込み、前記流路切換弁と前記吐出切換弁とを各別に前記頭部の外側より操作可能に形成したことを特徴とするものである。
【０００６】
また、本発明に係る浄水機能付きシャワーヘッドは、前記水質浄化用カートリッジの内蔵により形成される浄水流路と原水流路とが、前記水質浄化用カートリッジの外周側流路を原水流路の一部とし、この外周側流路から前記水質浄化用カートリッジに設けられた水質浄化材を介して中心部に形成された中央空間部に至る流路を浄水流路の一部として形成されたことを特徴とする。
【０００７】
また、本発明に係る浄水機能付きシャワーヘッドは、前記水質浄化用カートリッジの内蔵により形成される浄水流路と原水流路とが、前記水質浄化用カートリッジの中央空間部を原水流路の一部とし、この中央空間部から前記水質浄化用カートリッジに設けられた水質浄化材を介して外周側流路に至る流路を浄水流路の一部として形成されたことを特徴とする。
【０００８】
また、本発明に係る浄水機能付きシャワーヘッドは、前記流路切換弁を前記水質浄化用カートリッジの下流側に配置したことを特徴とする。
【０００９】
また、本発明に係る浄水機能付きシャワーヘッドは、前記流路切換弁を前記水質浄化用カートリッジの上流側に配置したことを特徴とする。
【００１０】
また、本発明に係る浄水機能付きシャワーヘッドは、前記流路切換弁の操作部を前記頭部内に組み込み、前記操作部の操作端を前記頭部の外方に突き出したことを特徴とする。
【００１１】
また、本発明に係る浄水機能付きシャワーヘッドは、前記流路切換弁を、前記操作部の操作端として押しボタンを形成し、この押しボタンによって交互に流路を遮断する浄水用遮断弁と原水用遮断弁とを併設した交互切換式遮断弁に形成したことを特徴とする。
【００１２】
また、本発明に係る浄水機能付きシャワーヘッドは、前記流路切換弁を、前記操作部の操作端として操作レバーを形成し、この操作レバーによって交互に流路を遮断する浄水用遮断弁と原水用遮断弁とを併設した交互切換式遮断弁に形成したことを特徴とする。
【００１３】
また、本発明に係る浄水機能付きシャワーヘッドは、前記交互切換式遮断弁の浄水用遮断弁と原水用遮断弁とがそれぞれ球形弁体を具備したことを特徴とする。
【００１４】
また、本発明に係る浄水機能付きシャワーヘッドは、前記吐出切換弁を、前記頭部の外側から流路切換可能に形成した操作部を備えた吐出切換弁に形成したことを特徴とする。
【００１５】
また、本発明に係る浄水機能付きシャワーヘッドは、前記吐出切換弁を、前記操作部として前記頭部の外側から操作する操作レバーを備えたレバー操作の遮断弁に形成したことを特徴とする。
【００１６】
また、本発明に係る浄水機能付きシャワーヘッドは、前記吐出切換弁を、前記操作部として前記頭部の外側から吐出口を操作する回転式操作部を備えた流路切換弁に形成したことを特徴とする。
【００１７】
また、本発明に係る浄水機能付きシャワーヘッドは、前記水質浄化用カートリッジから前記吐出切換弁までの間の流路中に殺菌セラミック及び／又は焼結磁性体とを介装したことを特徴とする。
【００１８】
また、本発明に係る浄水機能付きシャワーヘッドは、前記流路切換弁から前記吐出切換弁までの間の流路中に殺菌セラミック及び／又は焼結磁性体とを介装したことを特徴とする。
【００１９】
また、本発明に係る浄水機能付きシャワーヘッドは、前記他部品との接続端には水栓に接続されたホースを接続したことを特徴とする。
【００２０】
また、本発明に係る浄水機能付きシャワーヘッドは、前記他部品との接続端には水栓の吐出口を直接接続したことを特徴とする。
【発明の効果】
【００２１】
以上のように本発明に係る浄水機能付きシャワーヘッドは、他部品との接続端を備えるとともに直接手で持つことができるように形成した把持部と、この把持部の先端に一体に形成されたシャワー吐出口を有する頭部とを備えたシャワーヘッドにおいて、前記把持部内には水質浄化用カートリッジを内蔵するとともに、この水質浄化用カートリッジの内蔵により前記水質浄化用カートリッジを透過する浄水流路と前記水質浄化用カートリッジを透過しない原水流路とを形成し、前記頭部には前記浄水流路と前記原水流路との流路を切り換える流路切換弁を組み込み、前記シャワー吐出口の形成箇所にストレート吐出口を併設し、前記ストレート吐出口からの吐出と前記シャワー吐出口からの吐出とを切り換える吐出切換弁を組み込み、前記流路切換弁と前記吐出切換弁とを各別に前記頭部の外側より操作可能に形成したことにより、水質を切り換えるための流路切換弁の制約が頭部に組込可能な範囲まで広げることができて、大きさの制約が従来に比して大幅に緩和でき、頭部側のみで流路切換弁の操作が可能になるため操作性が良くなり、また、頭部と把持部との重量配分がシャワーヘッドの取扱の観点からもバランスの良い配分にすることができ、取扱易い形状・構造にすることができる。
【００２２】
また、本発明に係る浄水機能付きシャワーヘッドは、水質浄化用カートリッジの内蔵により形成される浄水流路と原水流路とが、前記水質浄化用カートリッジの外周側流路を原水流路の一部とし、この外周側流路から前記水質浄化用カートリッジに設けられた水質浄化材を介して中心部に形成された中央空間部に至る流路を浄水流路の一部として形成されたことにより、流路構成が簡素化できるとともにコンパクトにでき、把持部の構造が単純になって水質浄化材の内容物をより多く収納できるようになる。また、浄化材よりも外周側（上流側）の流路が原水と浄水との共用流路になり、浄水吐出時に蓄積された目詰りを引き起こすような固形物質を原水吐出時に洗い流すことができ、目詰りしにくくするとともに水質浄化用カートリッジの寿命を長くすることができる。
【００２３】
また、本発明に係る浄水機能付きシャワーヘッドは、水質浄化用カートリッジの内蔵により形成される浄水流路と原水流路とが、前記水質浄化用カートリッジの中央空間部を原水流路の一部とし、この中央空間部から前記水質浄化用カートリッジに設けられた水質浄化材を介して外周側流路に至る流路を浄水流路の一部として形成されたことにより、流路構成が一層簡素化できるとともにコンパクトにでき、把持部および水質浄化用カートリッジの構造がより単純になって水質浄化材の内容物をより多く収納できるようになる。また、浄化材よりも中心側（上流側）の流路が原水と浄水との共用流路になり、原水吐出時には、浄水吐出時に蓄積された目詰りを引き起こすような固形物質を容易に洗い流すことができ、目詰りしにくくするとともに水質浄化用カートリッジの寿命を長くすることができる。
【００２４】
また、本発明に係る浄水機能付きシャワーヘッドは、前記流路切換弁を前記水質浄化用カートリッジの下流側に配置したことにより、把持部には水質浄化用カートリッジが内蔵され、頭部には流路切換弁が組み込まれて、重量配分が、取扱上、バランスの良い配分となり、さらに、流路が最も簡潔な構成に形成できて、軽量且つ安価な浄水機能付きのシャワーヘッドを実現することができる。
【００２５】
また、本発明に係る浄水機能付きシャワーヘッドは、前記流路切換弁を前記水質浄化用カートリッジの上流側に配置したことにより、水質を切り換えるための流路切換弁を頭部側で操作可能に形成でき、水質浄化用カートリッジの交換が容易にでき、外観をあまり変化させずに、操作性の良い、軽量且つ安価な浄水機能付きのシャワーヘッドを実現することができる。
【００２６】
また、本発明に係る浄水機能付きシャワーヘッドは、前記流路切換弁の操作部を前記頭部内に組み込み、前記操作部の操作端を前記頭部の外方に突き出したことにより、シャワーヘッドの頭部から突出した前記操作部の操作端を操作し、浄化混合水と非浄化混合水とを切り換えることができ、流路切換えの操作性が向上して、シャワーヘッドの使い勝手を良くすることができる。
【００２７】
また、本発明に係る浄水機能付きシャワーヘッドは、前記流路切換弁を、前記操作部の操作端として押しボタンを形成し、この押しボタンによって交互に流路を遮断する浄水用遮断弁と原水用遮断弁とを併設した交互切換式遮断弁に形成したことにより、頭部から突き出した押しボタンを操作して浄水と原水とを切り換えることができ、操作性に優れた浄水機能付きシャワーヘッドを実現することができる。
【００２８】
また、本発明に係る浄水機能付きシャワーヘッドは、前記流路切換弁を、前記操作部の操作端として操作レバーを形成し、この操作レバーによって交互に流路を遮断する浄水用遮断弁と原水用遮断弁とを併設した交互切換式遮断弁に形成したことにより、頭部から突き出した操作レバーを操作して浄水と原水とを切り換えることができ、操作性に優れた浄水機能付きシャワーヘッドを実現することができる。
【００２９】
また、本発明に係る浄水機能付きシャワーヘッドは、前記交互切換式遮断弁の浄水用遮断弁と原水用遮断弁とがそれぞれ球形弁体を具備したことにより、弁閉時に、球形弁体に加えられる水圧が弁体である球形弁体を弁座に押し付けるように作用して、確実にシールすることができる。
【００３０】
また、本発明に係る浄水機能付きシャワーヘッドは、前記吐出切換弁を、前記頭部の外側から流路切換可能に形成した操作部を備えた吐出切換弁に形成したことにより、浄水と原水とのいずれも、シャワー吐出とストレート吐出との吐出状態を選択することができ、利便性の高いシャワーヘッドが実現できる。
【００３１】
また、本発明に係る浄水機能付きシャワーヘッドは、前記吐出切換弁を、前記操作部として前記頭部の外側から操作する操作レバーを備えたレバー操作の遮断弁に形成したことにより、操作レバーが指先で容易に操作できて、シャワー吐出とストレート吐出との吐出状態を容易に選択でき、シャワーヘッドの利便性を向上することができる。
【００３２】
また、本発明に係る浄水機能付きシャワーヘッドは、前記吐出切換弁を、前記操作部として前記頭部の外側から吐出口を操作する回転式操作部を備えた吐出切換弁に形成したことにより、レバー等の大きく突出した部材がなく外観的に簡素化されるとともに操作が容易な頭部を形成することが出来る。
【００３３】
また、本発明に係る浄水機能付きシャワーヘッドは、前記水質浄化材から前記吐出切換弁までの間の流路中に殺菌セラミック及び／又は焼結磁性体とを介装したことにより、水質浄化用カートリッジの水質浄化材による水質浄化作用に加えて、殺菌セラミックと焼結磁性体との相乗効果による水質浄化が行われ、より一層効果的に水質を浄化することができる。
【００３４】
また、本発明に係る浄水機能付きシャワーヘッドは、前記流路切換弁から前記吐出切換弁までの間の流路中に殺菌セラミック及び／又は焼結磁性体とを介装したことにより、頭部において殺菌セラミックと焼結磁性体との相乗効果による水質浄化が行われるとともに吐出口側からの雑菌の侵入を抑止して、一層効果的に水質を浄化することができる。
【００３５】
また、本発明に係る浄水機能付きシャワーヘッドは、前記他部品との接続端には水栓に接続されたホースを接続したことにより、ホースの長さ分の広い領域に吐出することができ、台所、その他の洗い場で利便性良く用いることができる浄水機能付きシャワーヘッドが実現できる。
【００３６】
また、本発明に係る浄水機能付きシャワーヘッドは、前記他部品との接続端には水栓の吐出口を直接接続したことにより、浄水機能付きシャワーヘッドを備えた蛇口を形成することができる。
【図面の簡単な説明】
【００３７】
【図１】本発明の実施の形態における浄水機能付きシャワーヘッドを台所の混合水    栓に取り付けた場合を示す斜視説明図である。
【図２】同上浄水機能付きシャワーヘッドの外観を示す平面図である。
【図３】同上浄水機能付きシャワーヘッドの外観を示す側面図である。
【図４】同上浄水機能付きシャワーヘッドの外観を示す正面図である。
【図５】同上浄水機能付きシャワーヘッドにおける流路切換弁の浄水側遮断弁が開    位置にある場合を示す平面断面図である。
【図６】同上浄水機能付きシャワーヘッドにおける流路切換弁の浄水側遮断弁が開    位置にある場合を示す側面断面図である。
【図７】同上浄水機能付きシャワーヘッドの把持部の軸方向に垂直な面に対する断    面図である。
【図８】同上浄水機能付きシャワーヘッドの頭部における流路切換弁の浄水側遮断    弁が開位置にある場合を示す平面断面図である。
【図９】図８のＡ−Ａ破断位置における側面拡大断面図である。
【図１０】図８のＢ−Ｂ破断位置における側面断面図である。
【図１１】図８のＣ−Ｃ破断位置における側面断面図である。
【図１２】同上浄水機能付きシャワーヘッドにおける流路切換弁の操作部を示す分解斜視図である。
【図１３】同上浄水機能付きシャワーヘッドにおける切換リングを示す外観図であり、（Ａ）は側面図、（Ｂ）は左正面図、（Ｃ）は右正面図、（Ｄ）は上平面図、    （Ｅ）は下平面図である。
【図１４】同上浄水機能付きシャワーヘッドにおける第１切換こまを示す外観図であり、（Ａ）は側面図、（Ｂ）は左正面図、（Ｃ）は右正面図、（Ｄ）は上平面図、（Ｅ）は下平面図である。
【図１５】同上浄水機能付きシャワーヘッドにおける第２切換こまを示す外観図であり、（Ａ）は側面図、（Ｂ）は左正面図、（Ｃ）は右正面図、（Ｄ）は上平面図である。
【図１６】同上浄水機能付きシャワーヘッドにおける流路切換弁の原水側遮断弁が開位置にある場合を示す平面断面図である。
【図１７】同上浄水機能付きシャワーヘッドにおける流路切換弁の原水側遮断弁が開位置にある場合を示す側面断面図である。
【図１８】同上浄水機能付きシャワーヘッドの頭部における流路切換弁の原水側遮断弁が開位置にある場合を示す平面断面図である。
【図１９】図１８のＤ−Ｄ破断位置における側面拡大断面図である。
【図２０】図１８のＥ−Ｅ破断位置における側面断面図である。
【図２１】図１８のＦ−Ｆ破断位置における側面断面図である。
【図２２】本発明の実施の形態における第１別態様のホース引出・収納型の水栓に取り付けた浄水機能付きシャワーヘッドを示す斜視説明図である。
【図２３】本発明の実施の形態における第２別態様の水質浄化材外周に濾過材を設けた水質浄化用カートリッジを設けた浄水機能付きシャワーヘッドを示す平面断面図である。
【図２４】同上第２別態様の浄水機能付きシャワーヘッドの把持部の軸方向に垂直な面に対する断面図である。
【図２５】本発明の実施の形態における第３別態様の水質浄化用カートリッジの中央空間部を原水流路とした浄水機能付きシャワーヘッドを示す平面断面図である。
【図２６】本発明の実施の形態における第４別態様の遮断弁を経由してから水質浄化する浄水機能付きシャワーヘッドを示す平面断面図である。
【図２７】同上第４別態様の浄水機能付きシャワーヘッドを示す側面断面図である。
【図２８】本発明の実施の形態における第５別態様の水質浄化用カートリッジ内に原水流路を形成した浄水機能付きシャワーヘッドを示す平面断面図である。
【図２９】同上第５別態様の浄水機能付きシャワーヘッドを示す側面断面図である。
【図３０】本発明の実施の形態における第７別態様のレバー操作の流路切換弁を備えた浄水機能付きシャワーヘッドにおける浄水吐出時の状態を示す断面説明図であり、（Ａ）は平面断面図、（Ｂ）は側面断面図、（Ｃ）は頭部正面断面図である。
【図３１】同上第７別態様の浄水機能付きシャワーヘッドにおける原水吐出時の状態を示す断面説明図であり、（Ａ）は平面断面図、（Ｂ）は側面断面図、（Ｃ）は頭部正面断面図である。
【図３２】本発明の実施の形態における第８別態様のシーソー式プッシュボタン操作の流路切換弁を備えた浄水機能付きシャワーヘッドにおける浄水吐出時の状態を示す断面説明図であり、（Ａ）は平面断面図、（Ｂ）は側面断面図、（Ｃ）は頭部正面断面図である。
【図３３】同上第８別態様の浄水機能付きシャワーヘッドにおける原水吐出時の状態を示す断面説明図であり、（Ａ）は平面断面図、（Ｂ）は側面断面図、（Ｃ）は頭部正面断面図である。
【図３４】本発明の実施の形態における第９別態様の回転式操作の吐出切換弁を備えた浄水機能付きシャワーヘッドにおけるシャワー吐出状態を示す縦断面図である。
【図３５】同上第９別態様の浄水機能付きシャワーヘッドにおけるストレート吐出状態を示す縦断面図である。
【図３６】同上第９別態様の浄水機能付きシャワーヘッドにおけるスクリーン部材を示す斜視説明図である。
【図３７】同上第９別態様の浄水機能付きシャワーヘッドにおけるスクリーン部材を示す部品説明図であり、（Ａ）は平面図、（Ｂ）は縦断面図である。
【図３８】同上第９別態様の浄水機能付きシャワーヘッドにおける流路変更部材を示す斜視説明図であり、（Ａ）は上面側から見た場合の斜視図、（Ｂ）は下面側から見た場合の斜視図である。
【図３９】同上第９別態様の浄水機能付きシャワーヘッドにおける流路変更部材を示す部品説明図であり、（Ａ）は上平面図、（Ｂ）は側面図、（Ｃ）は（Ｂ）から９０°回転した位置における側面図、（Ｄ）は下平面図である。
【図４０】同上第９別態様の浄水機能付きシャワーヘッドにおける仕切部材を示す斜視説明図である。
【図４１】同上第９別態様の浄水機能付きシャワーヘッドにおける仕切部材を示す部品説明図であり、（Ａ）は上平面図、（Ｂ）は側面図、（Ｃ）は下平面図、（Ｄ）は（Ｂ）から９０°回転した位置における側面図である。
【図４２】本発明の実施の形態における第１０別態様の水栓直結型の浄水機能付きシャワーヘッドを示す部分断面側面図である。
【図４３】本発明の実施の形態における第１１別態様の単水栓に接続した浄水機能付きシャワーヘッドを示す斜視説明図である。
【発明を実施するための形態】
【００３８】
以下、本発明における実施の形態として、台所に取り付けられる蛇口に浄水機能付きシャワーヘッドを設けた場合を説明する。
ただし、この実施の形態は、発明の趣旨をより良く理解させるため具体的に説明するものであり、特に指定のない限り、発明内容を限定するものではない。
【００３９】
〔構成〕
この実施の形態における台所は、図１に示すように、流し台１の上方に湯と水とを混合して流す混合水栓２の蛇口が位置するように配置し、この混合水栓２に接続されたフレキシブルなホース３の先端に浄水機能付きシャワーヘッド１０を取り付け、混合水栓２の下部で回動自在に設けられたシャワーヘッド支持部材（以下、ホルダ部という）４に着脱自在に係止して、ホルダ部４に浄水機能付きシャワーヘッド１０を係止したままの状態で水または湯または湯水混合水（以下、単に混合水という）を吐出し、また、ホルダ部４から浄水機能付きシャワーヘッド１０を取り外してホース３を必要に応じて引き出し、屈曲して混合水を吐出し、使用することにより、流し台１の中央部から周辺部に至るまで、混合水を自在に供給できるようにする。
【００４０】
ここで用いられる浄水機能付きシャワーヘッド１０は、図２〜４に示すように、台所で使用されるシャワーヘッドとして利用できるようにするため、混合水栓２のホース３に取付けできる端部を有する把持部１１と、この把持部１１のホース取付側とは反対側の端部にシャワー吐出口１２ａを一体的に設けた頭部１２とを備える。
【００４１】
把持部１１は、中間部で頭部１２側の筒部１１ａとホース取付側の筒部１１ｂとに分け、これらを着脱自在かつ一体的に組み合わせることができるようにする中継用ねじ部１１ｃを設け、この中継用ねじ部１１ｃの螺合を解除して筒部１１ａと筒部１１ｂを分離することにより、把持部１１の内部に水質浄化用カートリッジ（図５，６参照）を収容することができるようにし、そして、ホース取付側の端部にはホース取付ねじ１１ｄを設けた厚肉円筒状のホース接続部１１ｆを形成して、ホースとの着脱を容易にする。
【００４２】
頭部１２には、把持部１１側とは反対側の位置に流路切換用の押しボタン１３が突出し、シャワー吐出口１２ａの中央部にはストレート吐出口１２ｂを形成し、押しボタン１３の配設位置の直近の下流側にストレート吐出口１２ｂからの吐出とシャワー吐出口１２ａからの吐出とを切り換える切換レバー１４がシャワー吐出口１２ａを形成している下面から突出配置されている。
【００４３】
シャワーヘッド１０内には、図５〜７に示すように、内部に水質浄化用カートリッジ１５を収容し、この水質浄化用カートリッジ１５を収容している把持部１１では、水質浄化用カートリッジ１５の外周側流路２１を原水流路の一部として利用し、水質浄化用カートリッジ１５の中央空間部２２を浄水流路の一部として利用することにより、浄水吐出の場合、把持部１１内に流入した混合水が、水質浄化用カートリッジ１５の外周側流路２１から水質浄化用カートリッジ１５の水質浄化材１５ａを通過し水質を浄化して中央空間部２２に流出し、また、原水吐出の場合には、水質浄化用カートリッジ１５の外周側流路２１を通過して外部へ吐出する。
【００４４】
水質浄化用カートリッジ１５は、中心軸と同心的に孔（中央空間部２２）を設けて円筒状に形成した水質浄化材１５ａと、その下流側に不織布１５ｂ，１５ｃに挟持されて配設された粒状あるいはペレット状の殺菌セラミック１５ｄとを、３つに分割したキャップ１５ｅ，１５ｆ，１５ｇによって形成される２つの空間にそれぞれ収容したものである。
【００４５】
そして、水質浄化材１５ａは、周壁にスリットを多数設けた有底円筒形状に形成したキャップ１５ｅと、円筒形状の中央部に流体通路となる孔を穿設した軸方向に垂直な面の水質浄化材支持壁を有して各端部に他のキャップ１５ｅ，１５ｇとの嵌合部を形成したキャップ１５ｆとにより設けられた空間に収容する。
【００４６】
また、不織布１５ｂ，１５ｃに挟持された殺菌セラミック１５ｄは、キャップ１５ｆとは異径の２つの円筒を軸方向に垂直な壁面により接続し、２つの円筒のうち大径側の円筒にキャップ１５ｆとの嵌合部を形成し、小径側の円筒に頭部１２側に設けた（後述の）カートリッジ受け１１ｅとの嵌合部を形成したキャップ１５ｇにより設けられた、大径側の円筒の内部空間に収容する。
【００４７】
収容される水質浄化材１５ａは、活性炭を主成分とし、円筒状に固めたもので、この円筒状の外周面と中心孔との間を混合水が透過する時に、水中に溶解した化学成分や浮遊している微細な固形物質が吸着または濾過される。
また、殺菌セラミック１５ｄは、リン酸カルシウムを母体として酸化亜鉛、モンモリロナイト等を混合して粒状あるいはペレット状に焼結したものに銀あるいは銅等を吸着したもので、その表面に水中の有害な細菌類を吸着して殺菌するとともに金属イオンを放出して水中の有害な細菌類を殺菌または滅菌し、水質を無害化する。
【００４８】
原水吐出の場合には、混合水が水質浄化用カートリッジ１５の外周側に形成された流路２１を通過するため、流路２１を通過する原水により、浄水吐出時に蓄積された水質浄化材表面の目詰まりを引き起こすような微細な固形物質等を洗い流し、浄化吐出時に目詰りしにくくし、水質浄化材１５ａの浄化能力を高レベルに維持し、かつ寿命を長くする。特に、湯を原水吐出する場合には、湯温が高温であるほど、水質浄化材１５ａの主成分である活性炭から浄水吐出時に吸着したトリハロメタンや金属イオン等を放出して、効果的に除去することができ、活性炭の再生効果を高めることができる。
【００４９】
把持部１１の頭部１２側の筒部１１ａにおける内端部には、水質浄化用カートリッジ１５の先端部（キャップ１５ｇの小径側の端部）を差し込み固定する円筒状のカートリッジ受け１１ｅを突設する。
このカートリッジ受け１１ｅに水質浄化用カートリッジ１５のキャップ１５ｇの小径側の端部を差し込むことにより、水質浄化用カートリッジ１５が位置固定される。
キャップ１５ｇの小径側の端部には周面にＯリング１５ｈが周設され、カートリッジ受け１１ｅに差し込んだ場合にカートリッジ受け１１ｅの内周面に密接するＯリング１５ｈにより漏れが止められる。
【００５０】
そして、カートリッジ受け１１ｅの外周側の流路２３が、水質浄化用カートリッジ１５の外周側流路２１と連通して原水流路の一部として利用され、さらにカートリッジ受け１１ｅの内面側の流路２４が水質浄化用カートリッジ１５の中央空間部２２と殺菌セラミック１５ｄを介して連通することにより浄水流路の一部として利用される。
【００５１】
押しボタン１３と切換レバー１４とが突出している頭部１２では、図５，６，８〜１１に示すように、原水流路（２１，２３）と浄水流路（２２，２４）とが各別の遮断弁１６と遮断弁１７との入口（弁入口部）にそれぞれ連通する。これらの遮断弁１６，１７は押しボタン１３によって同時に操作される流路切換弁（水質切換弁）として機能する。
【００５２】
各遮断弁１６，１７の出口（下流側）は１つの同じ空間（以下、集合部という）１８に形成され、この集合部１８の下流側には、仕切部材１２ｃと仕切部材１２ｄとの間に、多数の小孔を穿設した円板状に形成した焼結磁性体１９を配置して、ばね部品２０によって仕切部材１２ｄ側へ押圧してシャワーヘッド１０を振り回してもガタツクことがないようにする。
【００５３】
この焼結磁性体１９は、酸化鉄を主原料としたフェライト系の母体の表面に、酸化鉄、酸化コバルト、炭酸リチウム等を主原料としたアモルファス膜層を設けたもので、それ自身が浄水機能および殺菌機能を有するとともに磁力の作用により殺菌セラミックからの金属イオンの放出およびモンモリロナイトからの酸素放出を促進して、殺菌効果を強化し、水質浄化材１５ａの主成分である活性炭の内部で繁殖した雑菌を効果的に殺菌または滅菌して、水質を向上させる。
【００５４】
そして、その配置位置によっては、吐出側から侵入した菌に対しても殺菌作用を及ぼして、雑菌の増殖を抑え、使用初期の捨水を不要にする。また、焼結磁性体１９の大きなものを頭部１２に入れることができるため、その浄化機能を高めることができるとともに、把持部１１を小径にして握りやすい径に抑えることができ、大型化を防止することができる。
【００５５】
この焼結磁性体１９の下流側には、焼結磁性体１９の小孔を通過した混合水が中央部に集合してシャワー吐出口１２ａとストレート吐出口１２ｂとのそれぞれの入口部に排出される集合通過部２５を設け、この集合通過部２５から僅かに隙間をあけた直近の下流にはストレート吐出口１２ｂの筒状に形成された入口部を形成し、集合通過部２５とストレート吐出口１２ｂの入口部との間の隙間に吐出切換弁２６の弁体２６ａを配置し、ストレート吐出口１２ｂの入口部の外周側をシャワー吐出口１２ａの入口部にする。
【００５６】
吐出切換弁２６は、集合通過部２５とストレート吐出口１２ｂの入口部との間に設けられた隙間に出入り自在に形成するとともに上面を浅い凹面に形成した弁体２６ａと、シャワー吐出口１２ａを貫通して軸回りに回動自在に支持されてシャワー吐出口１２ａの内部に位置する端部に弁体２６ａの取付端を固着するとともにシャワー吐出口１２ａの外部に位置する端部に切換レバー１４の取付端を固着した軸部２６ｂとからなる。
【００５７】
遮断弁１６と遮断弁１７とは、図５，１０，１１に示すように、原水流路（２１，２３）と連通する遮断弁１６と浄水流路（２２，２４）と連通する遮断弁１７との間で、それぞれ弁座１６ａと弁座１７ａとの位置が、把持部１１の軸方向に対してずれており、押しボタン１３の押込み量によっていずれか一方の弁が閉じられるように配置される。
【００５８】
遮断弁１６は、図１０に示すように、押しボタン１３の浅い押込み量で弁閉となるように弁座１６ａの位置が定められ、その弁座１６ａを環状体に形成し、その環状体の孔部に上流側から鋼球等の硬い球形（ボール）に形成した弁体１６ｂを載せることにより弁閉にする。
この遮断弁１６では箱型の弁体支持部材１６ｃを形成して、その弁体支持部材１６ｃの内部にコイルスプリング１６ｄと弁体１６ｂとを収容し、コイルスプリング１６ｄの押圧力によって弁体１６ｂを弁座１６ａ側に押し付ける。
【００５９】
遮断弁１７は、図１１に示すように、押しボタン１３の深い押込み量で弁閉となるように弁座１７ａの位置が定められ、その弁座１７ａを環状体に形成し、その環状体の孔部に上流側から鋼球等の硬い球形（ボール）に形成した弁体１７ｂを載せることにより弁閉にする。
この遮断弁１７では箱型の弁体支持部材１７ｃを形成して、その弁体支持部材１７ｃの内部にコイルスプリング１７ｄと弁体１７ｂとを収容し、コイルスプリング１７ｄの押圧力によって弁体１７ｂを弁座１７ａ側に押し付ける。
【００６０】
図１０のように遮断弁１６が弁閉になる位置で止まっている場合には、押しボタン１３の押込み量が浅いため、遮断弁１７は、図１１のように弁体１７ｂが弁座１７ａのヘリの部分で止まっている状態になり、環状体に形成された弁座１７ａの孔部に達しないため、弁開の状態のままになっている。
【００６１】
押しボタン１３と遮断弁１６および遮断弁１７との間には、図５，８，１２に示すように、弁体支持部材１６ｃと弁体支持部材１７ｃとに係合して弁体支持部材１６ｃと弁体支持部材１７ｃとを同時に押すことにより弁体１６ｂと弁体１７ｂとが同時に移動できるようにする２つのプッシュロッド３１，３１を一体に設けた切換軸１３ａと、この切換軸１３ａの移動距離を変えるためのカム機構を構成する３つの部品である切換リング１３ｂ、第１切換こま１３ｃ、第２切換こま１３ｄを組み合わせたものとを所定位置に嵌め合わせる。
【００６２】
切換軸１３ａは、２つのプッシュロッド３１，３１を両脇に配置し、中央部には弁側に底部を向けた有底円筒部材３２を配置し、２つの板状の支持部材３３，３３により有底円筒部材３２と各プッシュロッド３１，３１をそれぞれ所定の間隔で結合する。
【００６３】
各プッシュロッド３１，３１の支持部材３３を結合した部分の外側の端部には押しボタン１３の側面と係合するための爪部材３４，３４をそれぞれ端部に近接離間自在な弾力性を持たせて突出形成し、爪部材３４，３４を設けたそれぞれの端部には各爪部材３４，３４の突出方向に対して垂直な方向に、プッシュロッド３１，３１の移動方向に対するガイドをする案内部材３５，３５，３５，３５を突出形成する。
【００６４】
切換リング１３ｂは、図１３（Ａ），…，（Ｅ）に示すように、円筒部３６の内径側に溝３６ａを刻設し、円筒部３６の外周側に鍔部３７を設け、この鍔部３７の上下頂部に後述する切換カバー１３ｅと係合して位置固定する爪部３８，３８を突出する。
【００６５】
円筒部３６の内径側に刻設する溝３６ａは、軸方向に浅い溝３６１と軸方向に深い溝３６２とが交互に刻設され、その溝でない部分の切換軸側の端面には同一方向へ傾いた傾斜面３６ｂが形成され、当接する第１切換こま１３ｃに設けられたリブ４３の端部が、形成された傾斜面３６ｂの方向に従って移動し、誘導されて、刻設された浅い溝３６１と軸方向に深い溝３６２とのいずれかの溝に入り込むようになる。
【００６６】
第１切換こま１３ｃは、図１４（Ａ），…，（Ｅ）に示すように、細軸部４１と太軸部４２とに分かれ、太軸部４２に軸方向へ延びたリブ４３を周上等ピッチに３つ立設する。このリブ４３の切換リング側に位置する端部には、切換リング１３ｂの切換軸側の端面に設けられた傾斜面３６ｂと同じ方向に向いて傾斜する傾斜面４３ａを形成する。
【００６７】
第２切換こま１３ｄは、図１５（Ａ），…，（Ｄ）に示すように、一端には第１切換こま１３ｃの細軸部４１が挿入され、他端には押しボタン１３の内側中央部に突出した位置決め支持棒１３ｆが挿入される孔を有する円筒状の部材４４に、第１切換こま側に位置する端部には周上等ピッチに６個のリブ４５を立設し、リブ立設側の端部には第１切換こま１３ｃに設けたリブの傾斜面４３ａを形成した端部が当接する端面が傾斜した凹部４４ａを形成し、この凹部に当接した第１切換こま１３ｃのリブ４３がその傾斜した凹部４４ａの傾斜面に沿って移動することにより第１切換こま１３ｃが一定方向へ回転する。
【００６８】
切換カバー１３ｅは、図１２に示すように、プッシュロッド挿通孔４６，４６を穿設した板部４７の中間部に、切換軸１３ａの有底円筒部材３２を軸方向へ移動自在に内嵌するとともに切換リング１３ｂの円筒部３６を内嵌する筒部４８を形成し、この筒部４８の先端部の上下位置に切換リング１３ｂの爪３８，３８を係合する孔４９，４９を穿設し、筒部４８のプッシュロッド挿通孔４６，４６が穿設された側の側面には切換軸１３ａの支持部材３３，３３が軸方向へ移動自在に通過できるようにする切欠き部５０，５０を形成する。
【００６９】
頭部１２の内部を仕切る仕切部材１２ｃのプッシュロッド挿通孔５１，５１を穿設した側壁と、切換カバー１３ｅのプッシュロッド挿通孔４６，４６を穿設した板部４７との間には、各プッシュロッド挿通孔４６，４６，５１，５１の穿設位置に合わせてＯリング５２，５２を介装するとともにその中間部にコイルスプリング５３を配置介装して、切換軸１３ａの有底円筒部３２の底部を仕切部材１２ｃの側壁から離間する方向へばね付勢する。
【００７０】
コイルスプリング５３の付勢力によって切換軸１３ａが仕切部材１２ｃの側壁から離間する方向へ移動する場合、切換リング１３ｂの深い溝３６ａ（３６２）に第１切換こま１３ｃのリブ４３が入って、移動を邪魔するものが何もない状態になれば、有底円筒部材３２に当接している第１切換こま１３ｃおよび第２切換こま１３ｄが、切換リング１３ｂの円筒部３６に刻設された深い溝３６ａ（３６２）内を切換軸１３ａの移動方向と同じ方向へ摺動し、切換軸１３ａに設けた有底円筒部材３２の開口側の端縁が切換リング１３ｂの鍔部３７に当接して止まるまで移動する。
【００７１】
〔作用効果〕
このように構成した実施の形態においては、頭部１２に組み込まれている押しボタン１３を操作することにより、押しボタン１３が頭部１２より突き出ている状態（浅い押込量）では浄化された混合水が流出し、押しボタン１３が頭部１２に入り込んで突き出ている量が少なくなっている状態（深い押込量）では原水が流出する。
【００７２】
まず、浄化された混合水が流出しているものとする時、図１６〜２１に示すように、押しボタン１３を押すと、押しボタン１３に当接している第２切換こま１３ｄが第１切換こま１３ｃを押し、第１切換こま１３ｃから切換軸１３ａへ押圧力を伝達して、コイルスプリング５３の付勢力に抗して切換軸１３ａを仕切部材１２ｃの側壁に近接する方向へ移動する。
【００７３】
この時、第１切換こま１３ｃが切換リング１３ｂの溝を摺動して、その溝から外れるまで移動すると、第２切換こま１３ｄに押されている第１切換こま１３ｃは第２切換こま１３ｄと第１切換こま１３ｃとの当接部の形状に従って密着する向きに変わるように動いて結果として回転し、第１切換こま１３ｃと切換リング１３ｂの端面３６ｂとの相対的な位置を変更するとともに、遮断弁１６を開き、遮断弁１７を閉じて、非浄化混合水の流出に切り換える。
【００７４】
遮断弁１６が開き、遮断弁１７が閉じて、流出する混合水が非浄化混合水になると、コイルスプリング５３の付勢力によって遊び分だけ切換軸１３ａを戻し、第１切換こま１３ｃに設けられたリブの端部が切換リング１３ｂに刻設された浅い溝側に当接して位置固定する。
【００７５】
再度、押しボタン１３を押して、押しボタン１３に当接している第２切換こま１３ｄから第１切換こま１３ｃ、さらに切換軸１３ａへ押圧力を伝達することにより、コイルスプリング５３の付勢力に抗して切換軸１３ａを仕切部材１２ｃの側壁に近接する方向へ移動させると、第１切換こま１３ｃに設けられたリブの端部が切換リング１３ｂに刻設された浅い溝３６ａ（３６１）との係合を外し、第２切換こま１３ｄに押されている第１切換こま１３ｃが、第２切換こま１３ｄと第１切換こま１３ｃとの当接部の形状に従って密着する向きに変わるように動き、結果として回転して、第１切換こま１３ｃと切換リング１３ｂの端面３６ｂとの相対的な位置を変更する。
【００７６】
これにより、図５〜１１に示すように、切換リング１３ｂの軸方向に深い溝３６ａ（３６２）に第１切換こま１３ｃに設けられたリブ４３が入り、コイルスプリング５３の付勢力によって、第１切換こま１３ｃに設けられたリブ４３を切換リング１３ｂの溝に沿って仕切部材１２ｃの側壁から離間する方向へ摺動させることになり、第１切換こま１３ｃに当接している切換軸１３ａを仕切部材１２ｃの側壁から離間する方向へ移動させて、遮断弁１６を閉じ、遮断弁１７を開いて、浄化混合水の流出に切り換える。
【００７７】
また、シャワー吐出している場合に、押しボタン１３の操作とは独立に、切換レバー１４を操作して軸部２６ｂを中心に回動すると、弁体２６ａがストレート吐出口１２ｂの入口部から外れ、集合通過部２５からでる混合水がストレート吐出口１２ｂの入口部へ流入し、ストレート吐出するようになる。
【００７８】
さらに、ストレート吐出している場合に、切換レバー１４を反対方向へ操作して、軸部２６ｂを中心に逆回りに回動すると、弁体２６ａがストレート吐出口１２ｂの入口部に入り、集合通過部２５からでる混合水がストレート吐出口１２ｂの入口部へ流入する事を阻止して、シャワー吐出口１２ａ側へ流路を変更し、図６に示すように、シャワー吐出するようになる。
【００７９】
このような実施の形態では、水質を切り換えるための遮断弁１６，１７からなる流路切換弁の制約を頭部１２に組込可能な範囲まで広げることができて、流路切換弁の大きさの制約が大幅に緩和でき、頭部１２側で流路切換弁の操作が可能になるため操作性が良くなり、また、頭部１２と把持部１１との重量配分がバランス良く配分できて、シャワーヘッド取扱上もバランスの良い、形状・構造にすることができる。
【００８０】
把持部１１に水質浄化用カートリッジ１５を内蔵することにより、水質浄化用カートリッジ１５の外周側に原水流路の一部が形成でき、この原水流路から水質浄化用カートリッジ１５に設けられた水質浄化材１５ａを介して中心部に形成された中央空間部２２に至る浄水流路の一部が形成できて、流路構成が簡素化できるとともにコンパクトにでき、把持部１１の構造が単純になって水質浄化材１５ａの内容物をより多く収納できるようになる。
【００８１】
水質浄化材１５ａよりも上流側の流路が原水と浄水との共用流路となり、浄水吐出時に蓄積された目詰りを引き起こすような固形物質その他の蓄積物を原水吐出時に洗い流すことができ、目詰りしにくくするとともに水質浄化材１５ａの寿命を長くすることができる。
【００８２】
把持部１１には水質浄化用カートリッジ１５が内蔵され、頭部１２には流路切換弁が組み込まれて、流路が最も簡潔にでき、重量配分が良くなって、取扱上、非常にバランスの良いシャワーヘッドとなり、軽量且つ安価となる。
【００８３】
流路切換弁は、原水用遮断弁１６と浄水用遮断弁１７とが同じ押しボタン１３によって交互に流路を遮断する交互切換式遮断弁となっているため、頭部１２に突出した押しボタン１３を押すことにより、浄化混合水と非浄化混合水とを切り換えて使用でき、操作性が向上する。
【００８４】
また、交互切換式遮断弁の原水用遮断弁１６と浄水用遮断弁１７とがそれぞれ球状弁体１６ｂ，１７ｂであるため、弁閉時には、球状弁体１６ｂ，１７ｂに加えられる水圧が、コイルスプリング１６ｄ，１７ｄの付勢力とともに、球状弁体１６ｂ，１７ｂを弁座１６ａ，１７ａに押し付けるように作用して、確実にシールすることができるようになる。
【００８５】
吐出切換弁２６が、レバー操作の遮断弁に形成されているため、原水用遮断弁１６と浄水用遮断弁１７とのどちらが開いた場合であっても、シャワー吐出とストレート吐出とを選択でき、利便性を向上することができる。
この浄水機能付きシャワーヘッド１０は、台所の他、洗面所や風呂場等でも用いることができ、汎用性が非常に高いものとなる。
【００８６】
〔別態様〕
この実施の形態は、発明の趣旨を理解し易くするため具体的に説明しているが、発明内容を限定するものではないから、特に説明されていない別の態様を制限するものではなく、適宜変更しても良い。このような意味で発明の趣旨に沿う別態様を以下に示す。
【００８７】
〔第１別態様〕
前記実施の形態では、混合水栓２に接続されたむき出しのホース３を介して浄水機能付きシャワーヘッド１０を接続していたが、図２２に示すように、混合水栓５のホルダ部５ａに挿通して引出・収納自在に設けたホース（図示せず）に浄水機能付きシャワーヘッド１０を取り付けた型式にしても良い。
【００８８】
この場合、使用時に必要に応じて浄水機能付きシャワーヘッド１０をホルダ部５ａから抜き出してホースを延ばし、目的とする位置に混合水を吐出することができ、使用後には、ホルダ部５ａの中にホースを戻しながら浄水機能付きシャワーヘッド１０を係合して元の状態に戻す。これにより混合水栓５の直近の位置からホースの延長される限度の広い範囲に吐出範囲を広げることができて、水栓回りの外観を良くするとともに使い勝手を良くすることができる。
【００８９】
〔第２別態様〕
前記実施の形態では、水質浄化用カートリッジ１５は混合水を浄化する水質浄化材１５ａの全体を被うキャップ１５ｅが設けられているとともに、そのキャップ１５ｅに円筒状に固めた活性炭を主成分とする水質浄化材１５ａを収容しているが、図２３，２４に示すように、水質浄化材１５ａの外周に濾過材１５ｉを設けるとともにキャップ１５ｅの形状を濾過材１５ｉの大部分が直に混合水中に露出するように変えても良い。
【００９０】
この場合、水質浄化用カートリッジ１５は、活性炭を主成分とする水質浄化材１５ａの外周に濾過材１５ｉが設けられ、キャップ１５ｅは水質浄化材１５ａの上流側の端部のみを保持する形状に形成され、下流側の端部がキャップ１５ｆにより保持されて、濾過材１５ｉで被われた水質浄化材１５ａの外周側の大部分が露出された形状になる。
【００９１】
これにより、原水吐出時には、水質浄化材１５ａよりも上流側の原水と浄水との共用流路で、濾過材１５ｉで被われた水質浄化材１５ａの外周側を通過する混合水によって、浄水吐出時に濾過材１５ｉの表面に溜まった蓄積物を洗い流すことができ、目詰りが起こりにくくするとともに水質浄化材１５ａの劣化を防止して、長期間、水質浄化性能を高レベルに維持することができる。
【００９２】
〔第３別態様〕
前記実施の形態では、原水が水質浄化用カートリッジ１５の外周側に形成された外周側流路２１を原水流路として通過し、その外周側流路２１から水質浄化材１５ａを透過し中央空間部２２へ抜け出ることにより浄化される浄水流路が形成されているが、逆に、図２５に示すように、原水が中央空間部２２を原水流路として通過し、この中央空間部２２から水質浄化材を透過して外周側流路２１に流出することにより浄化される浄水流路を形成しても良い。
【００９３】
すなわち、流路の構成が水質浄化用カートリッジ１５の中央部を原水流路とし、水質浄化用カートリッジ１５の外周側流路２１を浄水流路として形成して、流路形成に係る部材以外の個々の部材については前記実施の形態と同じ構成にすることにより、頭部１２に設けた押しボタン１３の操作によって、中央空間部２２から外周側へ向けて水質浄化材１５ａを透過する浄化水と、水質浄化材１５ａを透過しないで中央空間部２２を通過する原水との吐出を切り換えるシャワーヘッドを形成する。
【００９４】
水質浄化用カートリッジ１５は、中心軸と同心的に貫通した孔である中央空間部２２を設けて円筒状に固めた活性炭を主成分とする内側に配置された水質浄化材１５ａと、この活性炭の外周側に配置して円筒状に形成した殺菌セラミック１５ｊと、殺菌セラミック１５ｊの外周側を被覆した不織布からなる濾過材１５ｉとの３層からなる円筒形に形成された水質浄化材１５ｋを、分割されたキャップ１５ｌ，１５ｍによって形成された空間に収容したものである。
【００９５】
これらのうち、キャップ１５ｌの端面には中央部に孔１５ｎを、キャップ１５ｍの端面には中央部に孔１５ｐを穿設し、水栓（またはホース）側から把持部１１に流入した原水が孔１５ｎを通過して中央空間部２２に流入し、中央空間部２２から孔１５ｐを通過して遮断弁側に流出することができるようにする。
【００９６】
水質浄化用カートリッジ１５の原水流入側の端部には、把持部１１のホース接続部１１ｆに内嵌する突出した円筒部５５を形成し、その円筒部５５の外周面にＯリング溝５６を刻設し、そのＯリング溝５６にＯリング５７を嵌着してホース接続部１１ｆの内面と円筒部５５の外周面との間の漏止めを行なって、原水が浄水流路（外周側流路２１）側へ流入するのを防止する。
【００９７】
そして、頭部１２に配置した原水側の遮断弁１６と浄水側の遮断弁１７のそれぞれの位置が、前記実施の形態の場合とは反対になり、水質浄化用カートリッジ１５の外周側流路２１が浄水流路であるから、この水質浄化用カートリッジ１５の上流側の流路と連通する位置に配置される弁を浄水側の遮断弁１７、水質浄化用カートリッジ１５の中央空間部２２と連通する位置に配置される弁を原水側の遮断弁１６として、それぞれ浄水または原水の通過する弁座の位置が前記実施の形態の場合とは互いに反対側にずれた位置関係になる。
【００９８】
この遮断弁の配置により、押しボタン１３の操作と各遮断弁１６，１７の開閉動作あるいは吐出状態との関係が前記実施の形態の場合と逆になり、押しボタン１３の浅い押込み量の位置にある場合には原水側の遮断弁１６が弁開状態になり、浄水側の遮断弁１７が弁閉状態になって原水吐出となり、押しボタン１３の深い押込み量の位置にすると浄水側の遮断弁１７が弁開状態になり、原水側の遮断弁１６が弁閉状態になって浄水吐出となる。
【００９９】
〔第４別態様〕
前記実施の形態では、混合水は浄化後に浄化側の遮断弁１７に達するように流路を形成しているが、逆に、図２６，２７に示すように、浄化側の遮断弁１７を通過してから水質浄化材１５ａを透過して水質浄化するようにしても良い。
すなわち、流路の構成に係る部材以外の個々の部材については前記実施の形態と同じ構成になり、頭部１２に設けた押しボタン１３によって浄化水と原水とを切り換えるシャワーヘッドを形成する点については同様となる。
【０１００】
構成上、前記実施の形態と相違する点は以下の様な点である。
まず、頭部１２側から突出している筒部１１ａの内側に、所定の流路幅をあけて同心的に水質浄化用カートリッジ１５の上流側の端部に達するまで突出する内筒部１０１を設けて、内筒部１０１の外側に原水流路１０２、内筒部１０１の内側にカートリッジ外周流路１０３を形成する。このカートリッジ外周流路１０３が遮断弁１７の下流側の流路１０４と連通する。
【０１０１】
そして内筒部１０１の内側には、水質浄化用カートリッジ１５の頭部側に配置されるキャップ１５ｇを挿入するカートリッジ受け１１ｅを先端部に形成し、その先端部から非浄化側の遮断弁１６の出口側に形成された集合部１０５に連通する断面が矩形の内筒内浄化水導水路１０６を形成し、この内筒内浄化水導水路１０６の外側がカートリッジ外周流路１０３に連通する流路となり、内筒内浄化水導水路１０６の内側が水質浄化用カートリッジ１５を通過して出てきた浄化水の流路である浄化水流路１０７となる。
【０１０２】
この場合の水質浄化用カートリッジは、頭部１２側に配置される端部は前記実施の形態と同様に構成し、把持部１１の原水流入側に配置される端部は、キャップ１５ｅの端部に、内筒部１０１の先端部に内嵌して先端面に当接する厚肉部を有する有底円筒形状のキャップ端部を形成し、そのキャップ端部には外周面にＯリング溝１５ｑを刻設し、そのＯリング溝１５ｑに内筒部１０１の先端部内面に当接して液漏れを防止するＯリング１５ｒを嵌着する。
【０１０３】
このように形成した水質浄化用カートリッジ１５を、内筒部１０１に挿通し、先端のキャップ１５ｇをカートリッジ受け１１ｅに内嵌し、キャップ１５ｅのキャップ端部が内筒部１０１の先端に当接して位置固定すると、内筒部１０１と水質浄化用カートリッジ１５との間に形成される間隙によって、カートリッジ外周流路１０３が形成される。
【０１０４】
これにより、把持部１１のホース接続部１１ｆから原水が流入すると、内筒部１０１の外周側に形成された原水流路１０２を通過して遮断弁１６，１７の上流に設けられた共通の弁内空間に流入し、押しボタン１３の位置によって原水吐出か浄水吐出かに分けられる。
【０１０５】
浄水吐出の場合には、図２７に示すように、遮断弁１７の弁座１７ａを通過して下流側の流路１０４から内筒内浄化水導水路１０６の外側を経由してカートリッジ外周流路１０３に流入し、水質浄化用カートリッジ１５の水質浄化材１５ａを透過して中央空間部２２に流出し、この中央空間部２２から不織布１５ｂと殺菌セラミック１５ｄと不織布１５ｃとを透過し、さらに内筒内浄化水導水路１０６の内側の浄化水流路１０７を通過して集合部１０５に流出して焼結磁性体１９を通過してからシャワー吐出またはストレート吐出により外部へ流出する。
【０１０６】
こうして、遮断弁１７を経由してから水質浄化用カートリッジ１５に至る流路を有するシャワーヘッドを形成でき、各流路切換弁１６，１７を水質浄化用カートリッジ１５の上流側に設けることができるようになるため、流路切換弁１６，１７は水質浄化用カートリッジ１５の上流側でも下流側でもどちらにでも設けることができ、これらは共に、頭部１２に設けられた押しボタン１３の操作によって、浄化された混合水か非浄化混合水かを選択することができ、さらに、これらはストレート吐出とシャワー吐出とを浄化水と原水との選択とは別個に選択することができる。
【０１０７】
〔第５別態様〕
この第４別態様の別の態様として、前記内筒部を短く形成して、その短い内筒部に接続する水質浄化用カートリッジに遮断弁通過後の流路の一部を内部に設けるようにしたものでも良い。
【０１０８】
すなわち、水質浄化用カートリッジ１５に代えて、図２８，２９に示すように、各キャップ１５ｅ，１５ｆ，１５ｇの外周側に一定の間隙をあけて有底円筒に形成したカートリッジケース１１１ａを設けた二重壁構造とする新たな水質浄化用カートリッジ１１１を形成する。この水質浄化用カートリッジ１１１のカートリッジケース１１１ａと各キャップ１５ｅ，１５ｆ，１５ｇとの間に形成された間隙を遮断弁１７を経由した原水流路１１３とする。
【０１０９】
頭部１２側には、水質浄化用カートリッジ１１１の取付端を嵌合するカートリッジ受け１１ｅを形成した先端部１１４を設け、その先端部１１４には内部に軸方向に対し垂直な２つの仕切り壁１１４ａ，１１４ｂを間隔をあけて設けることにより２つの流路空間１１５，１１６を形成し、流路空間１１５は連通路１１５ａにより水質浄化用カートリッジ１１１の原水流路１１３と連通するとともに連通路１１５ｂにより遮断弁１７の下流側の流路１１７と連通し、流路空間１１６は仕切り壁１１４ａの中央部に穿設された孔１１６ａにより水質浄化用カートリッジ１１１の殺菌セラミック１５ｄの収容部および中央空間部２２と連通するとともに連通路１１６ｂにより集合部１１８と連通するように各連通路１１５ａ，１１５ｂ，１１６ｂおよび孔１１６ａを形成する。
【０１１０】
これにより、水質浄化用カートリッジ１１１の取付端を頭部１２に形成されたカートリッジ受け１１４に嵌め込むと、原水がホース接続部１１ｆから把持部１１に流入し、水質浄化用カートリッジ１１１の外周側流路２１を通過して遮断弁１６，１７の上流に達し、浄化側の遮断弁１７を通過して流路１１７から連通路１１５ｂを介して流路空間１１５に流出し、さらに連通路１１５ａを介して水質浄化用カートリッジ１１１の内部に形成された原水流路１１３に流出して水質浄化材１５ａの内部に浸透し透過して、中央空間部２２へ出て、それから不織布１５ｂ，１５ｃに挟持された殺菌セラミック１５ｄを通過し、孔１１６ａを介して流路空間１１６に流出し、さらに連通路１１６ｂを介して集合部１１８に流出し、焼結磁性体１９の小孔を通過してからストレート吐出またはシャワー吐出する。
【０１１１】
こうして、把持部１１に流入した原水が、水質浄化用カートリッジ１１１の外周側流路２１を通過して浄化用の遮断弁１７に達し、遮断弁１７を経由してから水質浄化用カートリッジ１１１の内部に形成された原水流路１１３を介して水質浄化材１５ａに至る、浄化流路を有するシャワーヘッドが形成でき、把持部１１を実施の形態と同じような使用形態で利用することができる。
【０１１２】
〔第６別態様〕
また、頭部１２に組み込まれる押しボタン１３の操作と各遮断弁１６，１７の開閉動作あるいは吐出状態との関係を前記実施の形態の場合とは逆にして、押しボタン１３を深く押し込んだ場合に浄水吐出となり、押しボタン１３の押し込みが浅い位置では原水吐出となるようにしても良い。
【０１１３】
例えば、頭部の各遮断弁１６，１７の配置を前記実施の形態の構成と同じにした場合では、前記の第４別態様および第５別態様においては、浄水の流路が異なるため、押しボタン１３を深く押し込んだ場合に浄水吐出となり、押しボタン１３の押し込みが浅い位置では原水吐出となる。
【０１１４】
また、前記実施の形態において、遮断弁１６と遮断弁１７の弁座の位置を、原水側と浄水側との弁座の位置を逆にすると、押しボタンの操作による吐出状態が逆になって、押しボタン１３の浅い押込み量の場合に原水吐出となり、深い押込み量の場合に浄水吐出となる。
これらの場合、他の機能には変化がなく、全く同様に機能する。
【０１１５】
〔第７別態様〕
前記実施の形態では、流路切換弁の操作端を押しボタン型に形成したが、弁体の駆動方式を変更して、その操作端をレバー型に変えても良い。
すなわち、図３０〜３１に示すように、原水用の遮断弁１６と浄水用の遮断弁１７とが、それぞれ遮断弁１６，１７により配置高さを変え、上側を原水用、下側を浄水用として配置する。
【０１１６】
原水用の遮断弁１６の弁座１６ａを設ける床に相当する板材を、浄水用の遮断弁１７との間を上下に仕切る仕切り板１２１として形成し、浄水用の遮断弁１７の弁座１７ａを設ける床に相当する板材を集合部１８との間を仕切る仕切り板１２２として形成する。
原水用の遮断弁１６の弁座１６ａを設ける位置には、仕切り板１２１の下方に垂下する円筒部材１２１ａに、仕切り板１２２の上方に立設する円筒部材１２２ａを軸方向へ移動自在かつシール可能に嵌合して、仕切り板１２１の上方と仕切り板１２２の下方とを連通する原水通路１２３を形成する。
【０１１７】
仕切り板１２１の上方にはカートリッジ受け１１ｅの外周側の流路２３と連通する遮断弁１６の上流側の空間が形成され、仕切り板１２２の下方は遮断弁１７の下流側に形成された集合部１８となり、仕切り板１２１と仕切り板１２２との間はカートリッジ受け１１ｅの内面側の流路２４と連通する遮断弁１７の上流側の空間となる。
【０１１８】
頭部１２の正面側の側周面に、操作レバー組込用の空間として仕切り板１２１を含めて形成された凹部１２４を設ける。この凹部１２４を上下方向に貫通する操作レバー用の支持軸１２５を回動自在に取り付け、支持軸１２５の上端部に遮断弁１６の弁体支持部材１６ｃを固着し、支持軸１２５の下端部に遮断弁１７の弁体支持部材１７ｃを固着し、支持軸１２５の中央部には、支持軸径方向へ広げられた平面形状を有する基部１２６ａから棒状に突出した操作端１２６ｂを有する操作レバー１２６を外嵌する。そして、支持軸１２５の各弁体支持部材１６ｃ，１７ｃを固着している箇所の近傍で、それぞれ仕切り板１２１に固着された軸受部１２５ａ，１２５ｂと嵌合し、支持軸１２５を回動自在に支持する。
これにより、操作レバー１２６の操作端の動きに応じて回動する支持軸１２５の回動方向に、各遮断弁１６，１７の弁体支持部材１６ｃ，１７ａが同時に動作して、遮断弁１６，１７をそれぞれ開閉する。
【０１１９】
〔第８別態様〕
前記第７別態様では、流路切換弁の操作端をレバー型に形成したが、その操作端をシーソー式プッシュボタンに形成しても良い。
すなわち、図３２〜３３に示すように、操作レバー１２６の支持軸径方向へ広げられた基部１２６ａから操作端１２６ｂの棒状に突出させた部分を除去し、その代わりに、中央部前面１２７ａを凹ませて両側端１２７ｂ，１２７ｃを頭部１２の外面よりも外方（前方）へ張り出し、その外方へ張り出した側端１２７ｂまたは１２７ｃの一方を選択的に押すことによって左右に押し分けることができるように形状を成形してシーソー式プッシュボタン１２７を形成する。その他の部分については第７別態様と同様に形成する。
【０１２０】
これにより、シーソー式プッシュボタンの操作端が実現し、側端１２７ｂまたは側端１２７ｃの一方を押すことによって、側端の動きに応じて回動する支持軸１２５の回動方向に、各遮断弁１６，１７の弁体支持部材１６ｃ，１７ａが同時に動作して、遮断弁１６，１７のそれぞれが開閉し、動作的にレバー型と同じ動作を行うことができる。
【０１２１】
〔第９別態様〕
前記実施の形態では、吐出切換弁の操作部を操作レバー型に形成したが、その操作部を回転式操作部に形成しても良い。
すなわち、図３４〜３５に示すように、仕切部材１３１に設けられた集合通過部１３２から分岐部１３３によりシャワー吐出口１２ａとストレート吐出口１２ｂとのそれぞれに流路を分岐する回転式吐出切換弁１３４を形成する。
【０１２２】
この回転式吐出切換弁１３４の流路は、シャワー吐出口１２ａを形成するスクリーン部材１３５をその垂直軸回りに９０°回動することによって、シャワー吐出時には図３４に示すように、集合通過部１３２から分岐部１３３でシャワー吐出口１２ａに流路が変わるように形成し、また、スクリーン部材１３５をシャワー吐出時の位置から垂直軸回りに９０°反対側に回動することにより、ストレート吐出時には図３５に示すように、回転式吐出切換弁１３４の流路が分岐部１３３で流路を変更せずにそのままストレート吐出口１２ｂに至るようにする。
【０１２３】
このような回転式吐出切換弁１３４の構成は、シャワー吐出口１２ａを形成するとともに中央部に円筒状のフランジ部を設けてストレート吐出口１２ｂを形成したスクリーン部材１３５と、ストレート吐出口１２ｂを形成する円筒部１３６の上端部に係合してスクリーン部材１３５の回動に伴い同じ方向に回動する流路変更部材１３７と、焼結磁性体１９の収容空間とシャワー吐出する混合水の溜まるシャワー吐出水滞留空間との間を仕切るとともに中央部に集合通過部１３２を形成した仕切部材１３１と、流路変更部材１３７のストレート吐出側に設けるＯリング１４０とからなり、スクリーン部材１３５と流路変更部材１３７とを組み合わせて集合通過部１３２にねじ１３８でねじ止めし、螺子１３８の軸回りにスクリーン部材１３５と流路変更部材１３７とを回動自在に組付ける。
【０１２４】
スクリーン部材１３５は、図３６，３７に示すように、小孔を多数穿設したシャワー吐出口１２ａを形成するプレート部１３５ａの中央部にストレート吐出口１２ｂを形成する円筒部１３６を設けるとともに、プレート部１３５ａの外周端に仕切部材１３１と係合して頭部１２に回動自在に取り付けるリング状の縁部１３５ｂを設け、その縁部１３５ｂの内面には周上等ピッチ４カ所に中心側に向けて突出した突出部１３５ｃ，…，１３５ｃを設けて、仕切部材１３１に刻設された溝に係合させることができるようにする。
【０１２５】
そして、プレート部１３５ａの縁部１３５ｂが突き出ている側と同じ側に位置する円筒部１３６の端部には、端面の１／４等分される部分で軸対称の互いに相対する位置で同じ凹凸が位置するように凹部１３６ａまたは凸部１３６ｂを形成し、軸方向の凹凸が周上に互い違いに２か所できるようにする。
【０１２６】
流路変更部材１３７は、図３８，３９に示すように、仕切部材１３１とスクリーン部材１３５との間に介装されるリング状の外周部１３７ａの中に２つの流路を形成した内部仕切り１３７ｂを設けたものである。
内部仕切り１３７ｂは、軸方向に貫通するボルト孔１３７ｃとストレート吐出用の孔１３７ｄを軸対称位置に各１つずつ合計２つ穿設し、内部仕切り１３７ｂの仕切部材１３１との当接側の面には各孔１３７ｄ，１３７ｄの回りに設けるＯリング１４０を嵌め込むＯリング溝１３７ｅ，１３７ｅを刻設し、各孔１３７ｄ，１３７ｄの９０°回転した位置に側方へ抜ける溝１３７ｆ，１３７ｆを刻設し、対応する外周部１３７ａの側面に壁面を貫通する孔１３７ｇ，１３７ｇを穿設して、溝１３７ｆ，１３７ｆから孔１３７ｇ，１３７ｇを介して側方へ混合水が流れ出ることができるようにする。
【０１２７】
内部仕切り１３７ｂには、下流側の面の溝１３７ｆ，１３７ｆが設けられていない位置に、溝１３７ｆ，１３７ｆと凹凸が逆になる凹部１３７ｈ，１３７ｈを、スクリーン部材１３５に設けられた円筒部１３６の凹部１３６ａおよび凸部１３６ｂが嵌め合うことができるように形成する。
【０１２８】
仕切部材１３１は、図４０，４１に示すように、円板１３１ａの外周縁に両面側にそれぞれ張り出した円筒状嵌合部１３１ｂ，１３１ｃを設けた形状に形成し、円板１３１ａの上流側の面に焼結磁性体１９を載置した場合に所定の間隙があくように高さを調節したリング状の突出部１３１ｄを設け、円板１３１ａの中央部に下流側に突出する集合通過部１３２を形成する。
【０１２９】
集合通過部１３２は、外面が円柱状で、中央部の下流側に穿設して上流側に貫通しないねじ穴（またはねじ１３８をねじ込んで止められるように小さめに穿設された穴）１３２ａと、ねじ穴１３２ａの外周側に上流側から穿設して焼結磁性体１９を通過した混合水が流入できるようにしたリング状の溝１３２ｂと、その溝１３２ｂに合わせて中心に対して軸対称となる位置にそれぞれ１つずつ合計２つの扇形に穿設した貫通孔１３２ｃ，１３２ｃとを具備する。
【０１３０】
この仕切部材１３１に設けた集合通過部１３２に、スクリーン部材１３５に設けられた円筒部１３６の凹部１３６ａおよび凸部１３６ｂと、流路変更部材１３７の溝１３７ｆの裏側および凹部１３７ｈとを嵌め合せ、ねじ１３８で仕切部材１３１に対してスクリーン部材１３５と流路変更部材１３７とを回動自在に組付けることにより、スクリーン部材１３５の外周面を手で持ち、ねじ１３８の軸回りに回動して、ストレート吐出とシャワー吐出との切換えを行うことができるようになる。
【０１３１】
〔第１０別態様〕
前記実施の形態では、シャワーヘッド１０を混合水栓２に接続したフレキシブルなホース３に接続したが、ホース３がなく、混合水栓２に直に接続させることにしても良い。
【０１３２】
この場合には、例えば、図４２に示すように、混合水栓６２の吐出口６２ａをシャワーヘッド１０の把持部１１に形成されたホース接続部１１ｆよりも太い径に形成し、シャワーヘッド１０にはホース接続部１１ｆに形成されたホース取付ねじ１１ｄに直付け用アダプタ１５１を嵌合して、吐出口６２ａに直付け用アダプタ１５１を挿入することによって、直にシャワーヘッド１０を混合水栓６２に接続する。
【０１３３】
直付け用アダプタ１５１は、ホース接続部１１ｆとの間に漏止用ガスケット１５２を介装できるように内面側にガスケット溝１５１ａを刻設し、外面側に漏止め用のＯリング１５３を嵌着するＯリング溝１５１ｂを刻設する。また、Ｏリング溝刻設箇所のシャワーヘッド側の位置には位置固定用のビス挿入穴１５１ｃを円周上等ピッチに複数個刻設する。
【０１３４】
吐出口６２ａには、シャワーヘッド位置固定用のビス用ねじ孔６２ｂを穿設し、シャワーヘッド１０を混合水栓６２に接続する場合には、ビス６３をビス用ねじ孔６２ｂに螺合し、ビス６３の先端部を直付け用アダプタ１５１に設けられたビス挿入穴１５１ｃに挿入して、吐出口６２ａに直付したシャワーヘッド１０が軸回りに回転したり、抜けてしまうことを防止する。
これにより、混合水栓６２に直に取り付けられたシャワーヘッド１０が水道の蛇口と同様に使用することができる。
【０１３５】
〔第１１別態様〕
前記実施の形態ではシャワーヘッド１０を混合水栓２または６２に接続したが、混合水栓２または６２ではなく、湯または水だけが吐出する単水栓に接続しても良い。
例えば、図４３に示すように、シャワーヘッド１０は水道用の単水栓７３に接続したフレキシブルなホース７４に接続して、実施の形態と同様にホルダ部７５に着脱自在に保持する。
【０１３６】
これにより、単水栓７３に設けられたレバー７３ａの操作によって、レバー７３ａの上げ下げで吐水、止水を切換え、レバー７３ａの左右の動作で吐出する水量を調節する。また、必要に応じて、ホルダ部７５からシャワーヘッド１０を抜き出し、ホース７４の届く範囲の任意の位置で吐出させることができる。
【符号の説明】
【０１３７】
１  流し台
２，５，６２  混合水栓
３，７４  ホース
４，５ａ，７５  ホルダ部
１０  シャワーヘッド
１１  把持部
１１ａ  （頭部側の）筒部
１１ｂ  （ホース取付側の）筒部
１１ｃ  中継用ねじ部
１１ｄ  ホース取付ねじ
１１ｅ  カートリッジ受け
１１ｆ  ホース接続部
１２  頭部
１２ａ  シャワー吐出口
１２ｂ  ストレート吐出口
１２ｃ，１２ｄ，１３１  仕切部材
１２ｅ，１２ｆ  軸受部
１３  押しボタン
１３ａ  切換軸
１３ｂ  切換リング
１３ｃ  第１切換こま
１３ｄ  第２切換こま
１４  切換レバー
１５，１１１  水質浄化用カートリッジ
１５ａ，１５ｋ  水質浄化材
１５ｂ，１５ｃ  不織布
１５ｄ，１５ｊ  殺菌セラミック
１５ｅ，１５ｆ，１５ｇ，１５ｌ，１５ｍ  キャップ
１５ｈ，１５ｒ  Ｏリング
１５ｉ  濾過材
１５ｎ，１５ｐ  孔
１５ｑ  Ｏリング溝
１６  （原水側の）遮断弁
１６ａ，１７ａ  弁座
１６ｂ，１７ｂ  弁体
１６ｃ，１７ｃ  弁体支持部材
１６ｄ，１７ｄ  コイルスプリング
１７  （浄水側の）遮断弁
１８，１１８  集合部
１９  焼結磁性体
２０  ばね部品
２１  外周側流路
２２  中央空間部
２３  （カートリッジ受けの外周側の）流路
２４  （カートリッジ受けの内面側の）流路
２５，１３２  集合通過部
２６  吐出切換弁
２６ａ  （吐出切換弁の）弁体
２６ｂ  軸部
３１  プッシュロッド
３２  有底円筒部材
３３  支持部材
３４  爪部材
３５  案内部材
３６  円筒部
３６ａ  溝
３６ｂ  傾斜面
３７  鍔部
３８  爪部
４１  細軸部
４２  太軸部
４３  リブ
４３ａ  傾斜面
４４  部材
４４ａ  凹部
４５  リブ
４６  プッシュロッド挿通孔
４７  板部
４８  筒部
４９  孔
５０  切欠き部
５１  プッシュロッド挿通孔
５２，５７，１４０，１５３  Ｏリング
５３  コイルスプリング
５５  円筒部
５６  Ｏリング溝
６２  混合水栓
６２ａ  蛇口
６３  ビス
７３  単水栓
１１１ａ  カートリッジケース
１１３  原水流路
１１４  先端部
１１４ａ，１１４ｂ  仕切り壁
１１５，１１６  流路空間
１１５ａ，１１５ｂ，１１６ｂ  連通路
１１６ａ  孔
１１７  流路
１２１，１２２  仕切り板
１２２ａ  円筒部材
１２３  原水通路
１２４  凹部
１２５  支持軸
１２５ａ，１２５ｂ  軸受部
１２６  操作レバー
１２６ａ  基部
１２６ｂ  操作端
１２７  シーソー式プッシュボタン
１２７ａ  中央部前面
１２７ｂ，１２７ｃ  側端
１３３  分岐部
１３４  回転式吐出切換弁
１３５  スクリーン部材
１３６  円筒部
１３７  流路変更部材
１３８  ねじ
１５１  直付け用アダプタ
１５２  漏止用ガスケット
３６１  （切換リングの軸方向に）浅い溝
３６２  （切換リングの軸方向に）深い溝
【図１】
2010046497.tif 000003
【図２】
2010046497.tif 000004
【図３】
2010046497.tif 000005
【図４】
2010046497.tif 000006
【図５】
2010046497.tif 000007
【図６】
2010046497.tif 000008
【図７】
2010046497.tif 000009
【図８】
2010046497.tif 000010
【図９】
2010046497.tif 000011
【図１０】
2010046497.tif 000012
【図１１】
2010046497.tif 000013
【図１２】
2010046497.tif 000014
【図１３】
2010046497.tif 000015
【図１４】
2010046497.tif 000016
【図１５】
2010046497.tif 000017
【図１６】
2010046497.tif 000018
【図１７】
2010046497.tif 000019
【図１８】
2010046497.tif 000020
【図１９】
2010046497.tif 000021
【図２０】
2010046497.tif 000022
【図２１】
2010046497.tif 000023
【図２２】
2010046497.tif 000024
【図２３】
2010046497.tif 000025
【図２４】
2010046497.tif 000026
【図２５】
2010046497.tif 000027
【図２６】
2010046497.tif 000028
【図２７】
2010046497.tif 000029
【図２８】
2010046497.tif 000030
【図２９】
2010046497.tif 000031
【図３０】
2010046497.tif 000032
【図３１】
2010046497.tif 000033
【図３２】
2010046497.tif 000034
【図３３】
2010046497.tif 000035
【図３４】
2010046497.tif 000036
【図３５】
2010046497.tif 000037
【図３６】
2010046497.tif 000038
【図３７】
2010046497.tif 000039
【図３８】
2010046497.tif 000040
【図３９】
2010046497.tif 000041
【図４０】
2010046497.tif 000042
【図４１】
2010046497.tif 000043
【図４２】
2010046497.tif 000044
【図４３】
2010046497.tif 000045